(57)【要約】【課題】  太陽電池パネルから放射される放射妨害波を低減させ、太陽光発電システムにおける電磁妨害波のエミッションを抑制するとともに、太陽電池パネルに電磁妨害波が誘導しないように、太陽光発電システムのイミュニティを向上させること。【解決手段】  第１および第２の太陽電池モジュール群７０の各々に含まれる複数の太陽電池モジュールが、各々の太陽電池モジュール群７０において同一方向に隣接して配置されており、複数の太陽電池モジュール２０の各太陽電池モジュール２０は、それぞれ、正極２１ｐおよび負極２１ｎを含む端子を有し、第１の太陽電池モジュール群７０ａの各太陽電池モジュール２０ａの端子６０ａが、第１の太陽電池モジュール群７０ａの各太陽電池モジュール２０ａに対応する第２の太陽電池モジュール群７０ｂの太陽電池モジュール２０ｂの端子６０ｂと対向して配置されている。【選択図】図１Ａ
2018078684.tif 000002
【特許請求の範囲】
【請求項１】
第１および第２の太陽電池モジュール群を有する太陽電池パネルであって、
前記第１および第２の太陽電池モジュール群の各々に含まれる複数の太陽電池モジュールが、前記各々の太陽電池モジュール群において同一方向に隣接して配置されており、前記複数の太陽電池モジュールの各太陽電池モジュールは、それぞれ、正極および負極を含む端子を有し、
前記第１の太陽電池モジュール群の各太陽電池モジュールの端子が、前記第１の太陽電池モジュール群の各太陽電池モジュールに対応する前記第２の太陽電池モジュール群の太陽電池モジュールの端子と対向して配置されている、
太陽電池パネル。
【請求項２】
第１および第２の太陽電池モジュール群を有する太陽電池パネルであって、
前記第１および第２の太陽電池モジュール群の各々に含まれる複数の太陽電池モジュールが、前記各々の太陽電池モジュール群において同一方向に隣接して配置されており、前記複数の太陽電池モジュールの各太陽電池モジュールは、それぞれ、正極および負極を含む端子を有し、
前記第１の太陽電池モジュール群は、第１の太陽電池モジュール、および、前記第１の太陽電池モジュールに隣接する第２の太陽電池モジュールを備え、
前記第２の太陽電池モジュール群は、前記第１の太陽電池モジュールに対応する第３の太陽電池モジュール、および、前記第３の太陽電池モジュールに隣接し前記第２の太陽電池モジュールに対応する第４の太陽電池モジュールを備え、
前記第１の太陽電池モジュールの正極が、第１の電極線を介して、前記第４の太陽電池モジュールの負極に接続されており、前記第３の太陽電池モジュールの負極が、前記第１の電極線と交差する第２の電極線を介して、前記第２の太陽電池モジュールの正極に接続されており、前記第１および第２の電極線を交差させて撚りを入れるように、前記第１および第２の太陽電池モジュール群間の太陽電池モジュールの正極および負極が直列に接続されている、
太陽電池パネル。
【請求項３】
複数の太陽電池モジュールを有する太陽電池モジュール群であって、
前記複数の太陽電池モジュールが、同一方向に隣接して配置されており、前記複数の太陽電池モジュールは、それぞれ、正極および負極を含む端子を有し、
前記各太陽電池モジュールは、前記各太陽電池モジュールの内部を流れる電流方向が予め定められた順方向である順方向型太陽電池モジュール、および、前記各太陽電池モジュールの内部を流れる電流方向が前記順方向と逆方向である逆方向型太陽電池モジュール、の何れかであり、
前記順方向型太陽電池モジュールと前記逆方向型太陽電池モジュールとが交互に配置されている、太陽電池モジュール群。
【請求項４】
前記第１の太陽電池モジュール群は、第１の太陽電池モジュール、および、前記第１の太陽電池モジュールに隣接する第２の太陽電池モジュールを備え、
前記第２の太陽電池モジュール群は、前記第１の太陽電池モジュールに対応する第３の太陽電池モジュール、および、前記第３の太陽電池モジュールに隣接し前記第２の太陽電池モジュールに対応する第４の太陽電池モジュールを備え、
前記第１の太陽電池モジュールの正極が、第１の電極線を介して、前記第４の太陽電池モジュールの負極に接続されており、前記第３の太陽電池モジュールの負極が、前記第１の電極線と交差する第２の電極線を介して、前記第２の太陽電池モジュールの正極に接続されており、前記第１および第２の電極線を交差させて撚りを入れるように、前記第１および第２の太陽電池モジュール群間の太陽電池モジュールの正極および負極が直列に接続されている、請求項１に記載の太陽電池パネル。
【請求項５】
前記各太陽電池モジュールは、前記各太陽電池モジュールの内部を流れる電流方向が予め定められた順方向である順方向型太陽電池モジュール、および、前記各太陽電池モジュールの内部を流れる電流方向が前記順方向と逆方向である逆方向型太陽電池モジュール、の何れかであり、
前記第１および第２の太陽電池モジュール群の各々において、前記順方向型太陽電池モジュールと前記逆方向型太陽電池モジュールとが交互に配置されている、請求項４に記載の太陽電池パネル。
【請求項６】
前記各太陽電池モジュールは、前記各太陽電池モジュールの内部を流れる電流方向が予め定められた順方向である順方向型太陽電池モジュール、および、前記各太陽電池モジュールの内部を流れる電流方向が前記順方向と逆方向である逆方向型太陽電池モジュール、の何れかであり、
前記第１および第２の太陽電池モジュール群の各々において、前記順方向型太陽電池モジュールと前記逆方向型太陽電池モジュールとが交互に配置されている、請求項１に記載の太陽電池パネル。
【請求項７】
前記各太陽電池モジュールは、前記各太陽電池モジュールの内部を流れる電流方向が予め定められた順方向である順方向型太陽電池モジュール、および、前記各太陽電池モジュールの内部を流れる電流方向が前記順方向と逆方向である逆方向型太陽電池モジュール、の何れかであり、
前記第１および第２の太陽電池モジュール群の各々において、前記順方向型太陽電池モジュールと前記逆方向型太陽電池モジュールとが交互に配置されている、請求項２に記載の太陽電池パネル。
【請求項８】
前記第１の太陽電池モジュール群は、第１の太陽電池モジュールを備え、
前記第２の太陽電池モジュール群は、前記第１の太陽電池モジュールに対応する第２の太陽電池モジュール、および、前記第２の太陽電池モジュールに隣接する第３の太陽電池モジュールを備え、
前記第１の太陽電池モジュールの正極が、第１の電極線を介して、前記第３の太陽電池モジュールの負極に接続されており、前記第１の太陽電池モジュールの負極が、第２の電極線を介して、前記第２の太陽電池モジュールの正極に接続されており、前記第１および第２の太陽電池モジュール群間において撚りを入れるように、前記第１および第２の太陽電池モジュール群間の各太陽電池モジュールの正極および負極が直列に接続されている、
請求項１または６に記載の太陽電池パネル。
【請求項９】
前記第１の太陽電池モジュール群の各太陽電池モジュールの端子が、前記第１の太陽電池モジュール群の各太陽電池モジュールに対応する前記第２の太陽電池モジュール群の太陽電池モジュールの端子と、対向することなく同一方向に配置されている、
請求項２または７に記載の太陽電池パネル。
【請求項１０】
同一構成の前記太陽電池モジュール群とともに併設される他の太陽電池モジュール群の各太陽電池モジュールの端子が、前記太陽電池モジュール群の各太陽電池モジュールに対応する前記他の太陽電池モジュール群の太陽電池モジュールの端子と、対向することなく同一方向に配置されている、
請求項３に記載の太陽電池モジュール群。
【請求項１１】
請求項１、６、８、９の何れか１項に記載の太陽電池パネルを複数有する太陽電池パネル群、または、請求項３または１０に記載の太陽電池モジュール群を備える太陽電池パネルを複数有する太陽電池パネル群、であって、
第１の太陽電池パネルにおける前記複数の太陽電池モジュールの各太陽電池モジュールの正極および負極を直列に接続する電極線によって形成される電流ループにおける電流方向が、前記第１の太陽電池パネルに隣接する第２の太陽電池パネルにおける前記複数の太陽電池モジュールの各太陽電池モジュールの正極および負極を直列に接続する電極線によって形成される電流ループにおける電流方向と異なる、
太陽電池パネル群。
【発明の詳細な説明】
【技術分野】
【０００１】
この発明は、太陽光発電システムにおいて使用される太陽電池モジュール群、太陽電池パネルおよび太陽電池パネル群に関する。
【背景技術】
【０００２】
近年、太陽光発電システムは、太陽電池パネルを用いて発電し、窒素酸化物等の有害な物質を発生させることなく、二酸化炭素の発生を減少させて地球温暖化を防止することができるクリーンなエネルギーシステムとして、多くのユーザに利用されている。
【０００３】
例えば、図１５に示すような一般の個人住宅等に用いられる太陽光発電システム１において、太陽電池パネル１０によって発電された電力は、電極線１８を通ってパワーコンバータ７に伝送され、パワーコンバータ７によって直流電力から交流電力に変換される。そして、その交流電力は、コンセント５等を介して、屋内における負荷、例えばテレビ６ａ等の家電機器、照明６ｂ等の照明機器、を含む電子・電気機器６、に供給されて、電子・電気機器６の駆動のために使用される。
【０００４】
また、太陽電池パネル１０によって発電された電力のうちの電子・電気機器６によって使用されなかった電力、すなわち余剰電力は、分電盤８および電力計９等を含む引込み線１１を介して、外部の電力会社等に送電され、売却される。例えば、送電された余剰電力が、電力計９に積算されており、その積算された値に応じて、固定価格買取制度等を利用して決定される価格で売却される。
【０００５】
また、電力が不足した場合、ユーザは、電力会社等から電力を購入することもできる。そして、購入された電力は、電力計９によって積算され、引込み線１１を介して外部から電子・電気機器６に供給される。
【先行技術文献】
【非特許文献】
【０００６】
【非特許文献１】長谷川良輔、富沢万里子、徳田正満：「大地面上に存在する太陽電池モジュールからの放射電界」、信学技報, IEICE Technical Report EMCJ2009-26（2009-06）
【発明の概要】
【発明が解決しようとする課題】
【０００７】
しかしながら、太陽光発電システム１では、図１５に示すように電磁妨害波１２に関するエミッション（放出）問題が生じる。例えば、パワーコンバータ７は、パルス幅変調（ＰＷＭ：Pulse Width Modulation）処理を行い、ＰＷＭパルス波７ａから正弦波７ｂを生成し、直流電力を交流電力に変換する。そのため、ＰＷＭパルス波７ａの高調波を含む電磁妨害波１２が放射妨害波１３として太陽電池パネル１０とその電極線１８から周囲にエミッションされる。そのため、例えば、図１６に示すような放送電波１５を受信する放送受信機（図示せず）等に受信障害が発生する恐れがある。
【０００８】
また、太陽光発電システム１では、図１６に示すような電磁妨害波１７に対する耐性に関するイミュニティ問題も生じる。例えば、外部の放送送信所（図示せず）から電波塔１４を介して送信される放送電波１５や落雷１６等によって強い電磁界が生じ、この強い電磁界によって電磁妨害波１７が誘導される。そして、例えば、パワーコンバータ７が、この電磁妨害波１７による影響を受けて誤動作する恐れがある。また、電磁妨害波１７は、パワーコンバータ７を通過して、電磁妨害波１７ａ，１７ｂとして、電子・電気機器６に影響を及ぼす恐れもある。
【０００９】
ここで、図１７を参照して、図１５に示すようなパワーコンバータ７が妨害源となり発生する電磁妨害波１２が漏洩するメカニズムについて説明する。
【００１０】
太陽光発電システム１では、一般的に、図１７に示すようなディファレンシャルモード電流成分２５およびコモンモード電流成分２６の２つのループ電流が流れる。
【００１１】
ディファレンシャルモード電流成分２５は、太陽電池モジュール２０ａの負極２１ｎａと太陽電池モジュール２０ｂの正極２１ｐｂとを介して直列接続された２つの太陽電池モジュール２０ａ，２０ｂを有する太陽電池パネル１０において、太陽電池モジュール２０ａの正極２１ｐａと太陽電池モジュール２０ｂの負極２１ｎｂとの間で、電極線１８を介して、図１７では時計回りに、ディファレンシャルモード電流ループとして、ループ状に流れる電流である。そして、パワーコンバータ７において発生した電磁妨害波１２のディファレンシャルモード電流成分２５が、漏洩磁界の発生源になる。
【００１２】
コモンモード電流成分２６は、正極２１ｐａとパワーコンバータ７とを接続する電極線１８ａと、負極２１ｎｂとパワーコンバータ７とを接続する電極線１８ｂと、をともに同じ方向（図１７では時計回り）に流れ、接地線２３と大地面２４を介して、コモンモード電流ループとして、ループ状に流れる電流である。
【００１３】
例えば、図１７では、太陽電池パネル１０の外周部のフレーム２２が、接地線２３ａを介して大地面２４と接続し、パワーコンバータ７が、接地線２３ｂを介して大地面２４と接続することによって、コモンモード電流ループが形成され、パワーコンバータ７において発生した電磁妨害波１２のコモンモード電流成分２６が、漏洩磁界のもう一つの発生源となる。
【００１４】
なお、例えば図１８を参照して後述する擬似電源回路網（ＡＭＮ：Artificial mains network）２９を使用しない場合、すなわち通常の動作時は、ディファレンシャルモード電流成分２５を流すためのディファレンシャルモードとコモンモード電流成分２６を流すためのコモンモードとを切替えることはできないため、太陽光発電システム１には、ディファレンシャルモード電流成分２５およびコモンモード電流成分２６の両方が流れる。
【００１５】
次に、図１８および図１９を参照して、漏洩磁界についてより詳細に説明する。  
図１８は、図１５および図１６に示すような太陽電池パネル１０が屋根に設置されている一般の個人住宅における太陽光発電システム１を模擬した実験モデルの概念図である。
【００１６】
図１８の太陽光発電システム１では、木造で作られた模擬家屋の屋根に１６枚の太陽電池モジュール２０を有する太陽電池パネル１０が、南向きに設置されている。１６枚の太陽電池モジュール２０は、７８ワット（Ｗ）の発電、例えば、約１．２５キロワットピーク（ｋＷｐ）の発電、を行うことができる。また、太陽電池パネル１０のフレーム２２は、金属製であり、金属製の架台２７に設置されている。
【００１７】
また、パワーコンバータ７から導出される電極線１８は、１６枚の太陽電池モジュールを直列接続して構成される太陽電池パネル１０において、最初の太陽電池モジュールのプラス端子と最後の太陽電池モジュールのマイナス端子に接続されている。電極線１８はフレーム２２と接続された架台２７の端点２８ａの近傍を経由しているが、端点２８ａの遠方部、すなわち太陽電池パネル１０上における端点２８ａの対角線上の対極側、に位置する端点２８ｂが、接地線２３を介して、大地面２４と接続されている。なお、図１８におけるパワーコンバータ７は、例えば、系統電力変換装置（ＧＣＰＣ：Grid Connected Power Converter）であり、その定格出力は３．３ｋＷである。
【００１８】
そして、この実験モデルにおける漏洩磁界を求めるために、パワーコンバータ７の代わりに、ディファレンシャルモードおよびコモンモードを切替えて、各モードにおいて、電極線１８に信号を印加することができる擬似電源回路網２９を用いて、各モードにおいて、擬似電源回路網２９に信号を印加して、太陽電池パネル１０から所定の距離の場所における磁界を測定する。
【００１９】
図１９は、図１８に示した実験モデルにおける漏洩磁界の測定結果の一例を示す波形である。横軸は、周波数（ＭＨｚ）を示しており、縦軸は、漏洩磁界強度（ｄＢμＡ／ｍ）を示している。
【００２０】
波形３０は、コモンモードで電極線１８に信号を印加した状態で、太陽電池パネル１０から３メートルの距離において測定された測定結果であり、波形３２は、ディファレンシャルモードで電極線１８に信号を印加した状態で、太陽電池パネル１０から３メートルの距離において測定された測定結果であり、波形３４は、コモンモード印加において太陽電池パネル１０から１０メートルの距離において測定された測定結果であり、波形３６は、ディファレンシャルモード印加において太陽電池パネル１０から１０メートルの距離において測定された測定結果である。
【００２１】
この測定結果から、３メートルおよび１０メートルの何れの距離の場合でも、コモンモード印加における漏洩磁界強度が、ディファレンシャルモード印加における漏洩磁界強度よりも大きいことが分かる。
【００２２】
コモンモードにおける漏洩磁界強度が、ディファレンシャルモードにおける漏洩磁界強度よりも大きくなる要因として、例えば、電極線１８、架台２７、接地線２３、および大地面２４が接続されて形成されるコモンモード電流ループのサイズが、１６枚の太陽電池モジュール２０が直列接続されて形成されるディファレンシャルモード電流ループのサイズよりも大きいことが考えられる。ここで、これらの電流ループのサイズは、例えば、図１７に示す各電流ループによって囲まれる面積（以下、「ループ面積」と称す。）を有するエリアに相当する。
【００２３】
また、他の要因として、ディファレンシャルモード電流ループ面が、大地面２４に対して約３０度傾いている一方で、コモンモード電流ループ面が、大地面２４に対して約９０度と直交していることも考えられる。
【００２４】
また、約０．６ＭＨｚ〜１．５ＭＨｚの周波数に多数の鋭いピーク値が存在するが、その要因として、例えば、これらの測定がオープンサイトにおいて行われたため、放送電波１５等の外部からの妨害波による影響を受けたことが考えられる。
【００２５】
ここまで、図１５乃至図１９を参照して、一般の個人住宅の屋根に設置されるような小規模な太陽光発電システム１について説明したが、近年、図２０に示すようなメガソーラーと称される大規模な太陽光発電システム１も普及している。
【００２６】
図２０は、メガソーラーの主要な部分を示す外観図である。メガソーラーでは、小規模な太陽光発電システム１よりも多くの太陽電池モジュール２０を備える太陽電池パネル１０、例えば１２枚の太陽電池モジュール２０を１段として、それを４段備えた太陽電池パネル１０が、広い敷地に設置されている。
【００２７】
図２１は、メガソーラーの太陽電池パネル１０の裏面の外観を示している。この太陽電池パネル１０は、例えば、太陽電池パネル１０を設置するために用いられる金属製のパイプで形成される架台２７に、金具等で固定されている。
【００２８】
また、図２１では、４８枚の太陽電池モジュール２０が４つのグループに分割され、各グループは、６枚の太陽電池モジュール２０を２段ずつ備えており、この上段と下段の２段の各太陽電池モジュール２０が、太陽電池モジュール群として、直列接続されている。なお、以下、４分割された太陽電池モジュール２０のうちの１つのグループを太陽電池パネル１０として説明する。
【００２９】
また、各グループから導出される電極線１８（図２１では図示せず）が、太陽電池パネル１０の中央部周辺に設けられたパワーコンバータ７に収容される。
【００３０】
また、図２１の架台２７は、接地線２３を介して大地面２４に接地されており、太陽電池パネル１０のフレーム（図２１では図示せず）が、図１８に示したような一般住宅等の小規模な実験モデルよりも大地面２４に近い位置で接地されている。そのため、図１８に示した実験モデルの場合よりもコモンモード電流ループのサイズが小さいと想定できる。
【００３１】
図２２は、メガソーラーの太陽電池パネル１０の表面の外観を示している。また、図２２に示す架台２７は、電波暗室のターンテーブル３１上に設置されており、太陽電池パネル１０を発電するための光源３８が、太陽電池パネル１０の近傍に置かれている。
【００３２】
また、太陽光発電システム１全体のサイズは、ターンテーブル３１の外周円に相当し、漏洩磁界を受信する受信アンテナ（図示せず）と太陽光発電システム１との距離は、ターンテーブル３１の外周円と受信アンテナの距離に相当する。
【００３３】
次に、図２３を参照して、図２２に示した太陽電池パネル１０の実験モデルにおいて測定された漏洩磁界の測定結果の一例を説明する。また、図２３は、受信アンテナ（図示せず）と太陽光発電システム１との距離が１０メートルである場合における測定結果を示している。
【００３４】
なお、図２３は、図１９と同様にパワーコンバータ７の代わりに擬似電源回路網２９を用いて、ディファレンシャルモードおよびコモンモードの各々のモードにおいて、電極線１８に信号を印加し、ディファレンシャルモードで信号を印加した場合とコモンモードで信号を印加した場合との比較結果でもある。
【００３５】
波形４０は、太陽電池パネル１０の裏面、すなわち各太陽電池モジュール２０を接続するための電極線１８が配線されている面、の方向（この方向を０度とする。）に受信アンテナを向けて、コモンモードで信号を印加した場合における測定結果を示しており、波形４２は、太陽電池パネル１０の裏面の方向に対して太陽電池パネル１０を９０度回転させた方向に受信アンテナを向けて、コモンモードで信号を印加した場合における測定結果を示しており、波形４４は、太陽電池パネル１０の裏面の方向に対して太陽電池パネル１０を１８０度回転させた方向、すなわち太陽光が照射される太陽電池パネル１０の表面の方向、に受信アンテナを向けて、コモンモードで信号を印加した場合における測定結果を示している。
【００３６】
また、波形４８は、太陽電池パネル１０の裏面、すなわち太陽電池モジュール２０の電極線１８が配線されている面、の方向に受信アンテナを向けて、ディファレンシャルモードで信号を印加した場合における測定結果を示しており、波形４６は、太陽電池パネル１０の裏面の方向に対して太陽電池パネル１０を９０度回転させた方向に受信アンテナを向けて、ディファレンシャルモードで信号を印加した場合における測定結果を示しており、波形５０は、太陽電池パネル１０の裏面の方向に対して太陽電池パネル１０を１８０度回転させた方向、すなわち太陽光が照射される太陽電池パネル１０の表面の方向、に受信アンテナを向けて、ディファレンシャルモードで信号を印加した場合における測定結果を示している。また、波形５２は、背景雑音を示している。
【００３７】
まず、各モードの依存性に関して説明すると、１００ｋＨｚ以下の周波数、および、２０ＭＨｚ近傍の周波数、では、ディファレンシャルモードの方がコモンモードよりも漏洩磁界強度が大きいことが分かる。なお、６０ｋＨｚ以下では、コモンモードにおける漏洩磁界強度が増加しているが、受信アンテナを備える測定器（図示せず）におけるノイズの影響により増加しているためであり、コモンモードにおける漏洩磁界強度は、６０ｋＨｚ以下でも減少していると考えられる。一方、１００ｋＨｚ〜１０ＭＨｚ、および、３０ＭＨｚの周波数では、コモンモードの方がディファレンシャルモードよりも漏洩磁界強度が大きいことが分かる。
【００３８】
次に、角度依存性に関して説明すると、波形４０と波形４４、または、波形４８と波形５０、を比較すると、数ＭＨｚ近傍の周波数以外は、太陽電池パネル１０の裏面の方向（０度）に関する漏洩磁界強度が、太陽電池パネル１０の表面の方向（１８０度）に関する漏洩磁界強度よりも大きいことが分かる。つまり、漏洩磁界の多くが、電極線１８が配線されている太陽電池パネル１０の裏面から漏洩していることが分かる。
【００３９】
このように、特にメガソーラーにおいて、コモンモードにおける漏洩磁界よりも、ディファレンシャルモードにおける漏洩磁界によって、また、太陽電池パネル１０の表面から漏洩する磁界よりも裏面の電極線１８から漏洩する磁界によって、上述したようなエミッション問題が生じる恐れがある。
【００４０】
また、このようなエミッション問題だけでなく、上述したようなイミュニティ問題を生じさせないようにするために、電磁妨害波１２のエミッションを抑制するとともに、外来の電磁妨害波１７を誘導しないようにするための電磁両立性（ＥＭＣ）の対策が求められている。
【００４１】
例えば、ＥＭＣに関する対策を従来よりもさらに向上させるために、メガソーラーにおいて問題となるディファレンシャルモードにおける漏洩磁界を低減させるだけでなく、メガソーラーの周囲に存在する強い電磁界によって生じる誘導電流または誘導電圧を低減させることが求められている。
【００４２】
この発明は、このような事情に鑑みてなされたものであり、太陽電池パネル１０から放射される放射妨害波１３を低減させ、太陽光発電システム１における電磁妨害波１２のエミッションを抑制するとともに、太陽電池パネル１０に電磁妨害波１７が誘導しないように、太陽光発電システム１のイミュニティを向上させることができる太陽電池モジュール群、太陽電池パネルおよび太陽電池パネル群を提供することにある。
【課題を解決するための手段】
【００４３】
上記目的を達成するためにこの発明の第１の観点は、以下のような構成要素を備えている。すなわち、太陽電池パネルは、第１および第２の太陽電池モジュール群を有する太陽電池パネルであって、第１および第２の太陽電池モジュール群の各々に含まれる複数の太陽電池モジュールが、各々の太陽電池モジュール群において同一方向に隣接して配置されており、複数の太陽電池モジュールの各太陽電池モジュールは、それぞれ、正極および負極を含む端子を有し、第１の太陽電池モジュール群の各太陽電池モジュールの端子が、第１の太陽電池モジュール群の各太陽電池モジュールに対応する第２の太陽電池モジュール群の太陽電池モジュールの端子と対向して配置されていることにより、接続された電極線で構成されるループを小さくしたことを特徴とする。
【００４４】
また、この発明の第２の観点は、以下のような構成要素を備えている。すなわち、太陽電池パネルは、第１および第２の太陽電池モジュール群を有する太陽電池パネルであって、第１および第２の太陽電池モジュール群の各々に含まれる複数の太陽電池モジュールが、各々の太陽電池モジュール群において同一方向に隣接して配置されており、複数の太陽電池モジュールの各太陽電池モジュールは、それぞれ、正極および負極を含む端子を有し、第１の太陽電池モジュール群は、第１の太陽電池モジュール、および、第１の太陽電池モジュールに隣接する第２の太陽電池モジュールを備え、第２の太陽電池モジュール群は、第１の太陽電池モジュールに対応する第３の太陽電池モジュール、および、第３の太陽電池モジュールに隣接し第２の太陽電池モジュールに対応する第４の太陽電池モジュールを備え、第１の太陽電池モジュールの正極が、第１の電極線を介して、第４の太陽電池モジュールの負極に接続されており、第３の太陽電池モジュールの負極が、第１の電極線と交差する第２の電極線を介して、第２の太陽電池モジュールの正極に接続されており、第１および第２の電極線を交差させて撚りを入れるように、第１および第２の太陽電池モジュール群間の太陽電池モジュールの正極および負極が直列に接続されている、ことを特徴とする。
【００４５】
また、この発明の第３の観点は、以下のような構成要素を備えている。すなわち、複数の太陽電池モジュールを有する太陽電池モジュール群であって、複数の太陽電池モジュールが、同一方向に隣接して配置されており、複数の太陽電池モジュールは、それぞれ、正極および負極を含む端子を有し、各太陽電池モジュールは、各太陽電池モジュールの内部を流れる電流方向が予め定められた順方向である順方向型太陽電池モジュール、および、前各太陽電池モジュールの内部を流れる電流方向が順方向と逆方向である逆方向型太陽電池モジュール、の何れかであり、順方向型太陽電池モジュールと逆方向型太陽電池モジュールとが交互に配置されている、ことを特徴とする。
【発明の効果】
【００４６】
すなわちこの発明によれば、太陽電池パネル１０から放射される放射妨害波１３を低減する、すなわち太陽光発電システム１における電磁妨害波１２のエミッションを抑制するとともに、太陽電池パネル１０に電磁妨害波１７が誘導しないように、すなわち太陽光発電システム１のイミュニティを向上させることができる太陽電池モジュール群、太陽電池パネルおよび太陽電池パネル群を提供することができる。
【図面の簡単な説明】
【００４７】
【図１Ａ】本発明の第１の実施形態の太陽電池パネルの構成例を示す構成図である。
【図１Ｂ】本発明の第１の実施形態の太陽電池パネルの構成例を拡大した拡大図である。
【図２】従来の太陽電池パネルの構成例を示す構成図である。
【図３】第２の実施形態の太陽電池パネルの構成例を示す構成図である。
【図４】第３の実施形態の太陽電池パネルの構成例を示す構成図である。
【図５】第１、第２及び第３の実施形態の太陽電池パネルの太陽電池セルが順方向に接続されてなる太陽電池モジュールの構成例を示す構成図である。
【図６】第１、第２及び第３の実施形態の太陽電池パネルの太陽電池セルが逆方向に接続されてなる太陽電池モジュールの構成例を示す構成図である。
【図７】第４の実施形態の太陽電池パネルの構成例を示す構成図である。
【図８】第５の実施形態の太陽電池パネルの構成例を示す構成図である。
【図９】第６の実施形態の太陽電池パネル群の構成例を示す構成図である。
【図１０】第６の実施形態の太陽電池パネル群の他の構成例を示す構成図である。
【図１１】第７の実施形態の太陽電池パネルの構成例を示す構成図である。
【図１２】第８の実施形態の太陽電池パネルの構成例を示す構成図である。
【図１３】第９の実施形態の太陽電池パネルの構成例を示す構成図である。
【図１４】第１０の実施形態の太陽電池パネル群の構成例を示す構成図である。
【図１５】典型的な太陽光発電システムにおけるエミッション問題について説明するための図である。
【図１６】典型的な太陽光発電システムにおけるイミュニティ問題について説明するための図である。
【図１７】典型的な太陽光発電システムにおいて発生する電磁妨害波が漏洩するメカニズムについて説明するための図である。
【図１８】典型的な太陽光発電システムを模擬した実験モデルの概念図である。
【図１９】図１８の実験モデルにおける漏洩磁界の測定結果の一例を示す波形である。
【図２０】典型的なメガソーラーの主要な部分を示す外観図である。
【図２１】典型的なメガソーラーの太陽電池パネルの裏面の外観を示す外観図である。
【図２２】典型的な太陽電池パネルの表面の外観を示す外観図である。
【図２３】図２２の太陽電池パネルの実験モデルにおける漏洩磁界の測定結果の一例を示す波形である。
【発明を実施するための形態】
【００４８】
（第１の実施形態）
以下、図面を参照して本発明の第１の実施形態を説明する。  
図１Ａは、本実施形態の太陽電池パネル１０の構成例を示す構成図である。また、図１Ａは、太陽電池パネル１０の裏面の電極線１８の配線構成例を示す配線図でもある。
【００４９】
太陽電池パネル１０は、太陽電池モジュール２０ａ−１乃至２０ａ−６を備える太陽電池モジュール群７０ａと、太陽電池モジュール２０ｂ−１乃至２０ｂ−６を備える太陽電池モジュール群７０ｂと、を有する。太陽電池モジュール群７０ａは、例えば、太陽電池パネル１０の上段に相当し、太陽電池モジュール群７０ｂは、例えば、太陽電池パネル１０の下段に相当する。
【００５０】
なお、図１Ａでは、太陽電池モジュール群７０ａと太陽電池モジュール群７０ｂとの間のスペースが実際よりも広く描かれているが、実際のスペースは、図１Ｂの太陽電池パネル１０の拡大図に示すように、図１Ａのスペースよりも狭い。図１Ｂでは、太陽電池モジュール２０ａと太陽電池モジュール２０ａに対応する太陽電池モジュール２０ｂとの間のスペース、例えば太陽電池モジュール２０ａ−１と太陽電池モジュール２０ａ−１に対応する太陽電池モジュール２０ｂ−１との間のスペース、を示している。また、後述する、図３、図４、図７、図８、図９、および図１０においても、同様に、図１Ｂのように、太陽電池モジュール群７０ａと太陽電池モジュール群７０ｂとの間のスペースは、実際のスペースよりも狭い。また、以下、図１Ｂのｘ軸およびｙ軸からなる面を太陽電池パネル１０面とする。
【００５１】
各太陽電池モジュール群７０に含まれる複数の太陽電池モジュール２０は、同一方向に、例えば図１Ａの右側方向に、隣接して配置されている。
【００５２】
各太陽電池モジュール２０は、例えば図１Ａに示すように長方形の形状を有しており、正極２１ｐおよび負極２１ｎを含む端子６０を、各太陽電池モジュール２０本体の一端、例えば長方形の長辺方向の一端に、備える。そして、各太陽電池モジュール２０内を、正極２１ｐから負極２１ｎの方向に、例えば図１Ａでは時計回りに、複数の太陽電池モジュール２０の集合体である太陽電池パネル１０における高周波を含む電磁妨害波１２の妨害波電流の流れに相当するループ電流６２が流れる。また、ディファレンシャルモード電流成分２５も、この妨害波電流の流れに相当する。
【００５３】
なお、実際には、太陽電池モジュール２０内を負極２１ｎから正極２１ｐに、太陽電池パネル１０によって発電された直流電流が流れるが、本実施形態では、説明の都合上、この直流電流の流れに関しては説明を省略し、ループ電流６２およびディファレンシャルモード電流成分２５に着目して説明する。
【００５４】
太陽電池モジュール２０ａ−１乃至２０ａ−６の端子６０ａ−１乃至６０ａ−６は、太陽電池モジュール２０ａ−１乃至２０ａ−６に対応する太陽電池モジュール２０ｂ−１乃至２０ｂ−６の端子６０ｂ−１乃至６０ｂ−６と対向するように配置されている。例えば、太陽電池モジュール２０ａ−１の端子６０ａ−１は、太陽電池モジュール２０ａ−１に対応する太陽電池モジュール２０ｂ−１の端子６０ｂ−１と対向するように配置されている。
【００５５】
また、各太陽電池モジュール群７０において、複数の太陽電池モジュール２０のうちの所定の太陽電池モジュール２０の正極２１ｐが、所定の太陽電池モジュール２０に各太陽電池モジュール群７０において隣接する太陽電池モジュール２０の負極２１ｎと接続されており、所定の太陽電池モジュール２０の負極２１ｎが、所定の太陽電池モジュール２０に隣接する他の太陽電池モジュール２０の正極２１ｐと接続されている。
【００５６】
例えば、太陽電池モジュール群７０ａにおいて、複数の太陽電池モジュール２０ａ−１乃至２０ａ−６のうちの所定の太陽電池モジュール２０の一例として太陽電池モジュール２０ａ−２に関して説明すると、太陽電池モジュール２０ａ−２の正極２１ｐａ−２が、太陽電池モジュール群７０ａにおいて太陽電池モジュール２０ａ−２に隣接する太陽電池モジュール２０ａ−１の負極２１ｎａ−１と電極線１８ａ−１を介して接続されており、太陽電池モジュール２０ａ−２の負極２１ｎａ−２が、太陽電池モジュール群７０ａにおいて太陽電池モジュール２０ａ−２に隣接する他の太陽電池モジュール２０ａ−３の正極２１ｐａ−３と電極線１８ａ−２を介して接続されている。
【００５７】
また、太陽電池モジュール群７０ａにおいて、太陽電池モジュール２０ａ−３の負極２１ｎａ−３が、電極線１８ａ−３を介して、太陽電池モジュール２０ａ−４の正極２１ｐａ−４と接続されており、太陽電池モジュール２０ａ−４の負極２１ｎａ−４が、電極線１８ａ−４を介して、太陽電池モジュール２０ａ−５の正極２１ｐａ−５と接続されており、太陽電池モジュール２０ａ−５の負極２１ｎａ−５が、電極線１８ａ−５を介して、太陽電池モジュール２０ａ−６の正極２１ｐａ−６と接続されている。
【００５８】
また、太陽電池モジュール２０ａ−６の負極２１ｎａ−６は、電極線１８ａ−６を介して、太陽電池モジュール群７０ｂの太陽電池モジュール２０ｂ−６の正極２１ｐｂ−６と接続されている。
【００５９】
同様に、太陽電池モジュール群７０ｂにおいて、太陽電池モジュール２０ｂ−６の負極２１ｎｂ−６が、電極線１８ｂ−６を介して、太陽電池モジュール２０ｂ−５の正極２１ｐｂ−５と接続されており、太陽電池モジュール２０ｂ−５の負極２１ｎｂ−５が、電極線１８ｂ−５を介して、太陽電池モジュール２０ｂ−４の正極２１ｐｂ−４と接続されており、太陽電池モジュール２０ｂ−４の負極２１ｎｂ−４が、電極線１８ｂ−４を介して、太陽電池モジュール２０ｂ−３の正極２１ｐｂ−３と接続されており、太陽電池モジュール２０ｂ−３の負極２１ｎｂ−３が、電極線１８ｂ−３を介して、太陽電池モジュール２０ｂ−２の正極２１ｐｂ−２と接続されており、太陽電池モジュール２０ｂ−２の負極２１ｎｂ−２が、電極線１８ｂ−２を介して、太陽電池モジュール２０ｂ−１の正極２１ｐｂ−１と接続されている。
【００６０】
また、太陽電池モジュール群７０ａの太陽電池モジュール２０ａ−１の正極２１ｐａ−１が、電極線１８ａ−０を介して、パワーコンバータ７と太陽電池パネル１０とを接続するための入出力端６４と接続されている。また、太陽電池モジュール群７０ｂの太陽電池モジュール２０ｂ−１の負極２１ｎｂ−１が、電極線１８ｂ−１を介して、入出力端６４と接続されている。
【００６１】
このように、太陽電池モジュール群７０ａと太陽電池モジュール群７０ｂが直列接続されており、太陽電池モジュール群７０ａの各太陽電池モジュール２０ａ内の各ループ電流６２ａ−１乃至６２ａ−６、および、太陽電池モジュール群７０ｂの各太陽電池モジュール２０ｂ内の各ループ電流６２ｂ−１乃至６２ｂ−６、を介して、図１Ａでは時計回りに、ディファレンシャルモード電流成分２５が流れる。
【００６２】
ここで、図２に示す従来の太陽電池パネル１００の構成例を参照して、本実施形態の太陽電池パネル１０と従来の太陽電池パネル１００とを比較して説明する。
【００６３】
従来の太陽電池パネル１００は、太陽電池モジュール２０ａ−１乃至２０ａ−６を備える太陽電池モジュール群８０ａと、太陽電池モジュール２０ｂ−１乃至２０ｂ−６を備える太陽電池モジュール群８０ｂと、を有する。太陽電池モジュール群８０ａは、例えば、太陽電池パネル１００の上段に相当し、太陽電池モジュール群８０ｂは、例えば、太陽電池パネル１００の下段に相当する。
【００６４】
そして、従来の太陽電池パネル１００は、本実施形態の太陽電池パネル１０と異なり、太陽電池モジュール２０ａ−１乃至２０ａ−６の端子６０ａ−１乃至６０ａ−６が、太陽電池モジュール２０ａ−１乃至２０ａ−６に対応する太陽電池モジュール２０ｂ−１乃至２０ｂ−６の端子６０ｂ−１乃至６０ｂ−６と対向することなく、太陽電池モジュール２０ａ−１の端子６０ａ−１が、太陽電池モジュール２０ａ−１に対応する太陽電池モジュール２０ｂ−１の端子６０ｂ−１と、同一方向（図２の上方向）に配置されている。
【００６５】
一方、本実施形態の太陽電池パネル１０は、従来の太陽電池パネル１００よりも、上段の太陽電池モジュール群７０ａの端子６０ａの位置が、下段の太陽電池モジュール群７０ｂの端子６０ｂの位置に近くなるように、各太陽電池モジュール群７０が配置されている。
【００６６】
このため、太陽電池モジュール群７０ａと太陽電池モジュール群７０ｂとを直列接続して形成される本実施形態の太陽電池パネル１０におけるディファレンシャルモード電流成分２５のループ面積が、太陽電池モジュール群８０ａと太陽電池モジュール群８０ｂとを直列接続して形成される従来の太陽電池パネル１００におけるディファレンシャルモード電流成分２５のループ面積よりも小さくなる。例えば、図１Ａでは、ループ面積の一部分として、太陽電池モジュール２０ａ−２，２０ｂ−２に対応する面積９０を示している。
【００６７】
なお、本実施形態では、太陽電池モジュール群７０ａ，７０ｂの各々が６枚の太陽電池モジュール２０を有している場合を示しているが、太陽電池モジュール群７０ａ，７０ｂの各々がｎ（ｎは自然数）枚の太陽電池モジュール２０を有している場合でも、本実施形態を適用することができる。
【００６８】
以上のような第１の実施形態によれば、次のような効果を得ることができる。  
メガソーラー等における妨害波の主要な要因である太陽電池パネル１０から放射される放射妨害波１３を低減させ、太陽光発電システム１における電磁妨害波１２のエミッションを抑制するとともに、太陽電池パネル１０に電磁妨害波１７が誘導しないように、太陽光発電システム１のイミュニティを向上させることが可能となるため、例えば、太陽光発電システム１の周囲の放送受信機等の外部機器等への影響を減少させることが可能となり、このような外部機器における誤動作等を抑制することも可能となる。
【００６９】
例えば、ｎ枚×２段の太陽電池モジュール２０を備える太陽電池パネル１０において、上段の太陽電池モジュール群７０ａの端子６０ａが下段の太陽電池モジュール群７０ｂの端子６０ｂと対向するように各太陽電池モジュール２０を配置して、各太陽電池モジュール２０の端子６０を直列接続するように電極線１８を配線することにより、電極線１８によって形成されるディファレンシャルモード電流成分２５のループ面積を小さくすることが可能となる。
【００７０】
そのため、ディファレンシャルモードにおける漏洩磁界が、太陽電池モジュール２０間を接続する電極線１８によって形成されるディファレンシャルモード電流ループから、放射妨害波１３としてエミッションされることを抑制することが可能となる。
【００７１】
また、ディファレンシャルモード電流成分２５のループ面積を小さくすることによって、太陽光発電システム１の周囲に存在する放送送信所の無線送信機等の外部機器から放射される放送電波１５によって生じる強い電磁界によって太陽電池パネル１０におけるディファレンシャルモード電流ループに誘導される電磁妨害波１７の電圧または電流等を低減させることが可能となり、例えばパワーコンバータ７等の機器に生じる誤動作を抑制することが可能となる。そのため、太陽光発電システム１のイミュニティを向上させることが可能となる。
【００７２】
そして、メガソーラー等のディファレンシャルモードにおけるＥＭＣに関する対策としても有用な効果を奏する。
（第２の実施形態）
以下、図面を参照して本発明の第２の実施形態について説明する。なお、第１の実施形態と同様の構成および内容については、同一符号を付して、説明を省略する。
【００７３】
本実施形態の太陽電池パネル１０は、図３に示すように、複数の太陽電池モジュール２０の各太陽電池モジュールの正極２１ｐおよび負極２１ｎを直列に接続して形成される電極線１８に撚りを入れるように電極線１８を交差させて、電極線１８を配線することによって、電極線１８によって形成されるループ面積が、第１の実施形態におけるループ面積よりも小さくなるように構成されている。
【００７４】
例えば、太陽電池モジュール群７０ａ，７０ｂの各々の複数の太陽電池モジュール２０のうちの所定の太陽電池モジュール２０の一例として太陽電池モジュール２０ａ−２に関して説明すると、太陽電池モジュール２０ａ−２の正極２１ｐａ−２が、太陽電池モジュール２０ａ−２に対応する太陽電池モジュール群７０ｂの太陽電池モジュール２０ｂ−２に太陽電池モジュール群７０ｂにおいて隣接する太陽電池モジュール２０ｂ−３の負極２１ｎｂ−３に電極線１８ｂ−３を介して接続されており、また、太陽電池モジュール２０ａ−３の正極２１ｐａ−３が、太陽電池モジュール２０ｂ−２の負極２１ｎｂ−２に、電極線１８ａ−２を介して接続されており、電極線１８ｂ−３と電極線１８ａ−２が交差している。  
一方、例えば、太陽電池モジュール２０ａ−２の負極２１ｎａ−２が、太陽電池モジュール２０ｂ−１の正極２１ｐｂ−１に電極線１８ｂ−２を介して接続されており、また、太陽電池モジュール２０ｂ−２の正極２１ｐｂ−２が、電極線１８ａ−１を介して、太陽電池モジュール２０ｂ−１に対応する太陽電池モジュール群７０ａの太陽電池モジュール２０ａ−１の負極２１ｎａ−１に接続されており、電極線１８ｂ−２と電極線１８ａ−１は交差している。ここで、電極線１８ｂ−３と電極線１８ａ−２の交差と電極線１８ｂ−２と電極線１８ａ−１の交差は、それぞれの電極線に撚りが入るように交差させる。２本の電極線１８に撚りが入った状態とは、例えば、電極線１８ａと電極線１８ｂとが交差する位置Ｐ１，Ｐ２，Ｐ３，Ｐ４，Ｐ５において、太陽電池パネル１０面に垂直な方向に関して電極線１８ａの位置と電極線１８ｂの位置が交互に上下逆の位置になるように、電極線１８ａ，１８ｂが配線される状態である。例えば、位置Ｐ２において、位置電極線１８ａ−２の上に電極線１８ｂ−３が配線されており、位置Ｐ３において、電極線１８ａ−３の下に電極線１８ｂ−４が配線される状態である。
【００７５】
また、太陽電池モジュール２０ａ−１の正極２１ｐａ−１および太陽電池モジュール２０ｂ−１の負極２１ｎｂ−１は、入出力端６４に接続されている。また、太陽電池モジュール２０ａ−６の正極２１ｐａ−６は，太陽電池モジュール２０ｂ−６の負極２１ｎｂ−６に接続されている。
【００７６】
図１Ａと図３を比較すると、本実施形態の太陽電池パネル１０の電極線１８によって形成されるループ面積は、第１の実施形態の太陽電池パネル１０のループ面積よりも小さいことが分かる。
【００７７】
例えば、図１Ａでは、ディファレンシャルモード電流成分２５の全体がループ面積となる。一方、図３では、電極線１８に撚りが入っているため、ループ面積９１で示される電流ループで形成される磁界の方向と、ループ面積９１に隣接する電流ループで形成される磁界の方向が１８０度異なる。そのため、各電流ループから十分離れた場所では、これらの磁界は相互に打ち消しあう。また、各ループ面積が同じ場合は、これらの磁界は零になる、すなわち、図３における全体のループ面積が零であることと等価である。
【００７８】
従って、第２の実施形態の太陽電池パネル１０のループ面積は、第１の実施形態の太陽電池パネル１０のループ面積よりも小さくなる。
【００７９】
以上のような第２の実施形態によれば、第１の実施形態で奏された作用効果に加えて、次のような効果を得ることができる。
【００８０】
電極線１８に撚りを入るように電極線１８を交差させて配線することによって、電極線１８によって形成されるループ面積をより小さくすることが可能となる。
（第３の実施形態）
以下、図面を参照して本発明の第３の実施形態について説明する。なお、第１の実施形態および第２の実施形態と同様の構成および内容については、同一符号を付して、説明を省略する。
【００８１】
本実施形態の太陽電池パネル１０は、図４に示すように、互いに隣接する太陽電池モジュール２０内のループ電流６２の向きが交互に逆向きになるように、太陽電池モジュール２０が配置されている。例えば、太陽電池モジュール２０ａ−１のループ電流６２ａ−１が時計回りであり、太陽電池モジュール２０ａ−１に隣接する太陽電池モジュール２０ａ−２のループ電流６２ａ−２が反時計回りである。
【００８２】
ここで、図５（ａ），（ｂ）および図６（ａ），（ｂ）を参照して、ループ電流６２の向きについて説明する。
【００８３】
図５（ａ）は、多結晶シリコン等によって組成される複数の太陽電池セル１１０−１１乃至１１０−４６を有し、これら複数の太陽電池セル１１０−１１乃至１１０−４６が順方向に接続されてなる太陽電池モジュール２０（以下、「順方向型太陽電池モジュール２０」と称す。）の構成例を示している。ここで、順方向とは、予め定められた電流方向であり、例えば図５に示すようにループ電流６２の向きが時計回りになる方向である。また、各太陽電池セル１１０に示す記号「１１」乃至「４６」は、それぞれ、太陽電池セル１１０−１１乃至１１０−４６に対応する。
【００８４】
また、図５（ａ）および図６（ａ）は、太陽電池モジュール２０を正面側、すなわち太陽電池パネル１０の裏面、から見た図であり、図５（ｂ）および図６（ｂ）は、図５（ａ）および図６（ａ）に対応する太陽電池モジュール２０の側面側から見た図である。
【００８５】
順方向型太陽電池モジュール２０は、例えば、２４枚の太陽電池セル１１０のうちの６枚の太陽電池セル１１０を１段として、それが４段連なって隣接して配置されている。各太陽電池セル１１０は、各太陽電池セル１１０のｐ型半導体が設けられた側（図５（ｂ）および図６（ｂ）の各太陽電池セル１１０の上部）の電極線１８ｐおよび各太陽電池セルのｎ型半導体が設けられた側（図５（ｂ）および図６（ｂ）の太陽電池セル１１０の下部）の電極線１８ｎを介して、接続されている。
【００８６】
例えば、正極２１ｐが、太陽電池セル１１０−１１の電極線１８ｐ−１１を介して、太陽電池セル１１０−１１のｐ型半導体側（図５（ｂ）の太陽電池セル１１０−１１の上部）に接続されている。そして、太陽電池セル１１０−１１のｎ型半導体側（図５（ｂ）の太陽電池セル１１０−１１の下部）が、太陽電池セル１１０−１１の電極線１８ｎ−１１および太陽電池セル１１０−１２の電極線１８ｐ−１２を介して、太陽電池セル１１０−１２のｐ型半導体側（図５（ｂ）の太陽電池セル１１０−１２の上部）に接続されている。
【００８７】
同様に、太陽電池セル１１０−１２が、電極線１８ｎ−１２および電極線１８ｐ−１３を介して、太陽電池セル１１０−１３と接続されている。
【００８８】
なお、図５（ａ），（ｂ）では、説明の都合上、太陽電池セル１１０間を接続する電極線１８ｐと電極線１８ｎを区別して示しているが、同一の電極線１８である。
【００８９】
このように、各太陽電池セル１１０を接続することによって、太陽電池モジュール２０内を正極２１ｐから負極２１ｎに順方向のループ電流６２が生じる順方向型太陽電池モジュール２０が形成される。
【００９０】
なお、太陽電池セル１１０−２１乃至１１０−２６、および、太陽電池セル１１０−３１乃至１１０−３６にも電流が流れるが、第１の本実施形態において上述したように、妨害波電流の流れに着目しているため、太陽電池セル１１０−２１乃至１１０−２６に流れる電流によって生じる磁界は、太陽電池セル１１０−３１乃至１１０−３６に流れる電流によって生じる磁界と打ち消し合うため、図５（ａ），（ｂ）では、これらの電流の流れは省略している。
【００９１】
図６（ａ）は、多結晶シリコン等によって組成される複数の太陽電池セル１１０−１１乃至１１０−４６を有し、これら複数の太陽電池セル１１０−１１乃至１１０−４６が逆方向に接続されてなる太陽電池モジュール２０（以下、「逆方向型太陽電池モジュール２０」と称す。）の構成例を示している。ここで、逆方向とは、順方向に対して逆の電流方向であり、例えば図６のようにループ電流６２の向きが反時計回りになる方向である。
【００９２】
逆方向型太陽電池モジュール２０は、順方向型太陽電池モジュール２０と同様に２４枚の太陽電池セル１１０が配置されているが、順方向型太陽電池モジュール２０の正極２１ｐが負極２１ｎになるように、各太陽電池セル１１０における電極線１８ｐ，１８ｎと各太陽電池セル１１０との接続位置が、上下逆さまになるように接続されている。
【００９３】
例えば、逆方向型太陽電池モジュール２０の負極２１ｎは、順方向型太陽電池モジュール２０の電極線１８ｐ−１１に相当する電極線１８ｎ−１１を介して、太陽電池セル１１０−１１のｎ型半導体側（図６（ｂ）の太陽電池セル１１０−１１の下部）に接続されている。そして、太陽電池セル１１０−１１のｐ型半導体側（図６（ｂ）の太陽電池セル１１０−１１の上部）が、電極線１８ｐ−１１および電極線１８ｎ−１２を介して、太陽電池セル１１０−１２のｎ型半導体側（図６（ｂ）の太陽電池セル１１０−１２の下部）に接続されている。
【００９４】
同様に、太陽電池セル１１０−１２が、電極線１８ｐ−１２および電極線１８ｎ−１３を介して、太陽電池セル１１０−１３と接続されている。
【００９５】
このように、各太陽電池セル１１０を接続することによって、太陽電池モジュール２０内を正極２１ｐから負極２１ｎに逆方向のループ電流６２が生じる逆方向型太陽電池モジュール２０が形成される。
【００９６】
図４に戻り、本実施形態の太陽電池パネル１０は、順方向型太陽電池モジュール２０と逆方向型太陽電池モジュール２０とが隣接して交互に配置されている。図４では、太陽電池モジュール２０ａ−１，２０ａ−３，２０ａ−５，２０ｂ−２，２０ｂ−４，２０ｂ−６が、順方向型太陽電池モジュール２０であり、太陽電池モジュール２０ａ−２，２０ａ−４，２０ａ−６，２０ｂ−１，２０ｂ−３，２０ｂ−５が、逆方向型太陽電池モジュール２０である。
【００９７】
そのため、各太陽電池モジュール群７０において、第３の実施形態において上述した所定の太陽電池モジュール２０の正極２１ｐが、隣接する２つの太陽電池モジュール２０のうちの一方の太陽電池モジュール２０の正極２１ｐと隣接するように配置されており、所定の太陽電池モジュール２０の負極２１ｎが、隣接する２つの太陽電池モジュール２０のうちの他の一方の太陽電池モジュール２０の負極２１ｎと隣接するように配置されている。
【００９８】
例えば、太陽電池モジュール群７０ａ，７０ｂの各々の複数の太陽電池モジュール２０のうちの所定の太陽電池モジュール２０の一例として太陽電池モジュール２０ａ−２に関して説明すると、太陽電池モジュール２０ａ−２の正極２１ｐａ−２が、太陽電池モジュール２０ａ−２に太陽電池モジュール群７０ａにおいて隣接する太陽電池モジュール２０ａ−３の正極２１ｐａ−３と隣接するように配置されている。また、太陽電池モジュール２０ａ−２の負極２１ｎａ−２が、太陽電池モジュール２０ａ−２に太陽電池モジュール群７０ａにおいて隣接する他の太陽電池モジュール２０ａ−１の負極２１ｎａ−１と隣接するように配置されている。
【００９９】
また、各太陽電池モジュール群７０において、隣接する太陽電池モジュール２０の端子６０が直列接続されるように、各端子６０間で、各電極線１８が接続されている。例えば、正極２１ｐａ−２が負極２１ｎａ−１と接続されており、負極２１ｎａ−２が正極２１ｐａ−３と接続されている。
【０１００】
以上のような第３の実施形態によれば、第１の実施形態で奏された作用効果に加えて、次のような効果を得ることができる。
【０１０１】
太陽電池モジュール２０内の太陽電池セル１１０間の電極線１８の構成を工夫することによって、太陽電池モジュール２０内のループ電流６２によって生じる磁界を隣接する太陽電池モジュール２０間で打ち消すことが可能となる。
【０１０２】
例えば、順方向型太陽電池モジュール２０および逆方向型太陽電池モジュール２０を交互に配置して、隣接する太陽電池モジュール２０のループ電流６２の向きが相互に逆向きになるように電極線１８を配線することによって、隣接する太陽電池モジュール２０の各々で生じる磁界を遠方において互いに打ち消すことが可能となる。
（第４の実施形態）
以下、図面を参照して本発明の第４の実施形態について説明する。なお、第１の実施形態乃至第３の実施形態と同様の構成および内容については、同一符号を付して、説明を省略する。
【０１０３】
本実施形態は、第２の実施形態と第３の実施形態とを組み合わせた実施形態であり、本実施形態の太陽電池パネル１０は、図７に示すように、順方向型太陽電池モジュール２０と逆方向型太陽電池モジュール２０とが交互に配置されており、例えば、第２の実施形態において上述した所定の太陽電池モジュール２０である太陽電池モジュール２０ａ−２の正極２１ｐａ−２が、太陽電池モジュール２０ｂ−３の負極２１ｎｂ−３と接続されており、太陽電池モジュール２０ａ−２の負極２１ｎａ−２が、太陽電池モジュール２０ｂ−１の正極２１ｐｂ−１と接続されている。
【０１０４】
以上のような第４の実施形態によれば、第１の実施形態で奏された作用効果に加えて、第２の実施形態および第３の実施形態で奏された作用効果を得ることができる。しかし、この実施形態では、太陽電池モジュール２０ａ−１、太陽電池モジュール２０ｂ−２、太陽電池モジュール２０ａ−３、太陽電池モジュール２０ｂ−４、太陽電池モジュール２０ａ−５及び太陽電池モジュール２０ｂ−６と接続されるが、それらの太陽電池モジュールが全て順方向太陽電池モジュールになっている。そして、太陽電池モジュール２０ｂ−６の次に接続する太陽電池モジュール２０ａ−６で初めて逆方向太陽電池モジュールになり、その後、太陽電池モジュール２０ｂ−５、太陽電池モジュール２０ａ−４、太陽電池モジュール２０ｂ−３、太陽電池モジュール２０ａ−２及び太陽電池モジュール２０ｂ−１と全て逆方向太陽電池モジュールになっている。そのため、この長い周期に対応する周波数以上では、磁界の打ち消し効果が無くなってしまい、問題が発生する可能性がある。その問題点を解消するために、次に示す第５の実施形態が考案された。
（第５の実施形態）
以下、図面を参照して本発明の第５の実施形態について説明する。なお、第１の実施形態乃至第４の実施形態と同様の構成および内容については、同一符号を付して、説明を省略する。
【０１０５】
本実施形態の太陽電池パネル１０は、図８に示すように、順方向型太陽電池モジュール２０と逆方向型太陽電池モジュール２０とが交互に配置されている。また、順方向太陽電池モジュール２０ａ−１の次に逆方向太陽電池モジュール２０ｂ−１を電極線１８ａ−１で接続し、その次には順方向太陽電池モジュール２０ａ−２を電極線１８ｂ−１で接続するというように、順方向太陽電池モジュールと逆方向太陽電池モジュールを交互に接続することにより、周期を短くして、問題の発生する周波数を高周波に移行するようにしている。さらに、この実施形態では、電極線１８ｂ−６を端子６４に戻しているが、１８ｂ−５から１８ａ−１までの電極線と交差する必要がある。その際、それらの電極線を縫うように交差することによって、撚りのように磁界を打ち消す効果を付与している。
【０１０６】
例えば、太陽電池モジュール群７０ａ，７０ｂの各々の複数の太陽電池モジュール２０において、太陽電池モジュール２０ａ−１を出発点とし、太陽電池モジュール２０ａ−１の負極２１ｎａ−１が、太陽電池モジュール２０ａ−１に対応する太陽電池モジュール群７０ｂの太陽電池モジュール２０ｂ−１の正極２１ｐｂ−１に電極線１８ａ−１を介して接続されており、太陽電池モジュール２０ｂ−１の負極２１ｎｂ−１は、太陽電池モジュール２０ａ−２の正極２１ｐａ−２に電極線１８ｂ−１を介して接続されており、太陽電池モジュール２０ａ−２の負極２１ｎａ−２が、太陽電池モジュール２０ｂ−２の正極２１ｐｂ−２に電極線１８ａ−２を介して接続されている。また、太陽電池モジュール２０ｂ−２の負極２１ｎｂ−２は、太陽電池モジュール２０ａ−３の正極２１ｐａ−３に電極線１８ｂ−２を介して接続されており、同様の方法で、太陽電池モジュール２０ｂ−３、太陽電池モジュール２０ａ−４、太陽電池モジュール２０ｂ−４、太陽電池モジュール２０ａ−５、太陽電池モジュール２０ｂ−５、太陽電池モジュール２０ａ−６及び太陽電池モジュール２０ｂ−６と接続している。
【０１０７】
また、太陽電池モジュール２０ａ−１の正極２１ｐａ−１が、電極線１８ａ−０を介して入出力端６４と接続されており、太陽電池モジュール２０ｂ−６の負極２１ｎｂ−６が、電極線１８ｂ−６を介して入出力端６４と接続されている。その際、電極線１８ｂ−６は、電極線１８ｂ−５、電極線１８ａ−５、電極線１８ｂ−４、電極線１８ａ−４、電極線１８ｂ−３、電極線１８ａ−３、電極線１８ｂ−２、電極線１８ａ−２、電極線１８ｂ−１、及び電極線１８ａ−１と交差するが、電極線１８ｂ−６は、それらの交差点で上、下、上、下となるように交差して、それらの電極線を縫うように配線する。また、太陽電池モジュール２０ａ−６の負極２１ｎａ−６が、電極線１８ａ−６を介して、太陽電池モジュール２０ｂ−６の正極２１ｐｂ−６と接続されている。
【０１０８】
以上のような第５の実施形態によれば、第１の実施形態および第３の実施形態で奏された作用効果に加えて、次のような効果を得ることができる。
【０１０９】
例えば、入出力端６４から、各太陽電池モジュール２０を介して、太陽電池モジュール２０ａ−６の正極２１ｐａ−６までの電極線１８ａ−１，１８ｂ−１，１８ａ−２，１８ｂ−２，１８ａ−３，１８ｂ−３，１８ａ−４，１８ｂ−４，１８ａ−５，１８ｂ−５と、負極２１ｎｂ−６から入出力端６４までの電極線１８ｂ−６と、が上下に交差して縫うように配線することによって、第２の実施形態の効果も得ることができる。
【０１１０】
さらに、本実施形態では、太陽電池モジュール群７０ａの順方向型太陽電池モジュール２０と、太陽電池モジュール群７０ｂの逆方向型太陽電池モジュール２０と、を交互に接続することによって、磁界の反転周期を短くすることができ、その結果、電磁妨害波１２に関しても、その反転周期に対応した高周波まで磁界を相互に打ち消すことが可能となる。
（第６の実施形態）
以下、図面を参照して本発明の第６の実施形態について説明する。なお、第１の実施形態乃至第５の実施形態と同様の構成および内容については、同一符号を付して、説明を省略する。なお、説明の便宜上、説明に必要な符号のみ示している。
【０１１１】
本実施形態は、第１の実施形態乃至第５の実施形態において示したような太陽電池パネル１０を複数有する太陽電池パネル群１０’に関する発明である。
【０１１２】
太陽電池パネル群１０’は、図９に示すように、図２１を参照して上述したような４つのグループに相当する太陽電池パネル１０−１，１０−２，１０−３，１０−４を備えてなり、合計４８枚の太陽電池モジュール２０を備える。
【０１１３】
また、図９および図１０の太陽電池パネル群１０’には、隣接する太陽電池パネル１０における複数の太陽電池モジュール２０の各太陽電池モジュール２０の正極２１ｐおよび負極２１ｎを直列に接続する電力線１８によって形成されるディファレンシャルモード電流ループの向きが異なる向きになるように、すなわちこのディファレンシャルモード電流ループにおける電流方向が異なるように、例えば互いに逆向きになるように、各太陽電池パネル１０が配置されている。
【０１１４】
例えば、太陽電池パネル１０−１のディファレンシャルモード電流成分２５−１が時計回りである場合、太陽電池パネル１０−２のディファレンシャルモード電流成分２５−２および太陽電池パネル１０−３のディファレンシャルモード電流成分２５−３が、反時計回りになる。
【０１１５】
また、図９の太陽電池パネル群１０’は、順方向型太陽電池モジュール２０を用いて、各太陽電池パネル１０の各太陽電池モジュール群７０が直列接続されている。
【０１１６】
太陽電池パネル１０−１は、図１Ａに示した太陽電池パネル１０を１８０度回転させたものに相当する。例えば、図１Ａの太陽電池パネル１０の右下に位置する太陽電池モジュール２０ｂ−５，２０ｂ−６が、太陽電池パネル１０−１の左上に配置されており、図１Ａの太陽電池パネル１０の右上に位置する太陽電池モジュール２０ａ−５，２０ａ−６が、太陽電池パネル１０−１の左下に配置されている。
【０１１７】
太陽電池パネル１０−２は、図１Ａに示した太陽電池パネル１０を用いて、ディファレンシャルモード電流成分２５−２が反時計回りになるように、電極線１８を配線したものに相当する。例えば、入出力端６４−２が、電極線１８ｂ−１を介して、太陽電池モジュール２０ｂ−１の正極２１ｐｂ−１と接続されており、太陽電池モジュール２０ｂ−１の負極２１ｎｂ−１が、電極線１８ｂ−２を介して、太陽電池モジュール２０ｂ−２の正極２１ｐｂ−２と接続されている。
【０１１８】
同様に、隣接する太陽電池モジュール２０の各端子６０が、図９のように、電極線１８ｂ−１乃至１８ｂ−６、および、電極線１８ａ−０乃至１８ａ−６を介して、直列接続されている。
【０１１９】
そして、太陽電池モジュール２０ａ−２の負極２１ｎａ−２が、電極線１８ａ−１を介して、太陽電池モジュール２０ａ−１の正極２１ｐａ−１と接続されており、太陽電池モジュール２０ａ−１の負極２１ｎａ−１が、電極線１８ａ−０を介して、入出力端６４−２と接続されている。
【０１２０】
このように、太陽電池パネル１０−２において入出力端６５に近い太陽電池モジュール群７０ｂから、太陽電池パネル１０−２において入出力端６５から遠い太陽電池モジュール群７０ａに、ディファレンシャルモード電流成分２５−２が流れる。
【０１２１】
太陽電池パネル１０−３は、太陽電池パネル１０−２を１８０度回転させたものに相当する。例えば、太陽電池パネル１０−２の右上に位置する太陽電池モジュール２０ａ−５，２０ａ−６が、太陽電池パネル１０−３の左下に配置されており、太陽電池パネル１０−２の右下に位置する太陽電池モジュール２０ｂ−５，２０ｂ−６が、太陽電池パネル１０−３の左上に配置されている。
【０１２２】
太陽電池パネル１０−４は、図１Ａに示した太陽電池パネル１０に相当する。
【０１２３】
図１０の太陽電池パネル群１０’は、４つのグループに相当する太陽電池パネル１０−５，１０−６，１０−７，１０−８を備えてなり、合計４８枚の太陽電池モジュール２０を備える。また、順方向型太陽電池モジュール２０と逆方向型太陽電池モジュール２０とが交互に隣接するように配置されており、各太陽電池パネル１０の各太陽電池モジュール群７０が直列接続されている。
【０１２４】
太陽電池パネル１０−５は、図４に示した太陽電池パネル１０を１８０度回転させたものに相当する。例えば、図４の太陽電池パネル１０の右下に位置する太陽電池モジュール２０ｂ−５，２０ｂ−６が、太陽電池パネル１０−５の左上に配置されており、図４の太陽電池パネル１０の右上に位置する太陽電池モジュール２０ａ−５，２０ａ−６が、太陽電池パネル１０−１の左下に配置されている。
【０１２５】
太陽電池パネル１０−６は、図４に示した太陽電池パネル１０を用いて、ディファレンシャルモード電流成分２５−２が反時計回りになるように、電極線１８を配線したものに相当する。例えば、入出力端６４−２が、電極線１８ｂ−１を介して、太陽電池モジュール２０ｂ−１の正極２１ｐｂ−１と接続されており、太陽電池モジュール２０ｂ−１の負極２１ｎｂ−１が、電極線１８ｂ−２を介して、太陽電池モジュール２０ｂ−２の正極２１ｐｂ−２と接続されている。
【０１２６】
同様に、隣接する太陽電池モジュール２０の各端子６０が、図１０のように、電極線１８ｂ−１乃至１８ｂ−６、および、電極線１８ａ−０乃至１８ａ−６を介して、直列接続されている。
【０１２７】
そして、太陽電池モジュール２０ａ−２の負極２１ｎａ−２が、電極線１８ａ−１を介して、太陽電池モジュール２０ａ−１の正極２１ｐａ−１と接続されており、太陽電池モジュール２０ａ−１の負極２１ｎａ−１が、電極線１８ａ−０を介して、入出力端６４−２と接続されている。
【０１２８】
このように、太陽電池パネル１０−６において入出力端６５に近い太陽電池モジュール群７０ｂから、太陽電池パネル１０−６において入出力端６５から遠い太陽電池モジュール群７０ａに、ディファレンシャルモード電流成分２５−２が流れる。
【０１２９】
太陽電池パネル１０−７は、太陽電池パネル１０−６を１８０度回転させたものに相当する。例えば、太陽電池パネル１０−６の右上に位置する太陽電池モジュール２０ａ−５，２０ａ−６が、太陽電池パネル１０−７の左下に配置されており、太陽電池パネル１０−６の右下に位置する太陽電池モジュール２０ｂ−５，２０ｂ−６が、太陽電池パネル１０−７の左上に配置されている。
【０１３０】
太陽電池パネル１０−８は、図４に示した太陽電池パネル１０に相当する。
【０１３１】
また、図９および図１０において、各太陽電池パネル１０の４つの入出力端６４−１，６４−２，６４−３，６４−４が、それぞれ、電極線１８−１，１８−２，１８−３，１８−４を介して、太陽電池パネル群１０’の中央部に設けられた入出力端６５と接続されており、入出力端６５は、パワーコンバータ７と接続されている。このように、電極線１８−１，１８−２，１８−３，１８−４が、太陽電池パネル群１０’の中央部から放射状に配線されている。
【０１３２】
なお、図９および図１０では、各太陽電池パネル１０において、入出力端６５に近い太陽電池モジュール群７０から、入出力端６５から遠い太陽電池モジュール群７０に、ディファレンシャルモード電流成分２５が流れて、ディファレンシャルモード電流ループが形成される場合を示しているが、入出力端６５から遠い太陽電池モジュール群７０から、入出力端６５に近い太陽電池モジュール群７０に、ディファレンシャルモード電流成分２５が流れて、ディファレンシャルモード電流ループが形成されるように、各太陽電池モジュール２０を配置し、各電極線１８を配線してもよい。
【０１３３】
以上のような第６の実施形態によれば、第１の実施形態乃至第５の実施形態で奏された作用効果に加えて、次のような効果を得ることができる。
【０１３４】
隣接する太陽電池パネル１０のディファレンシャルモード電流ループの向きが互いに逆向きになるため、各太陽電池パネル１０において発生する磁界の向きも逆向きになり、隣接する太陽電池パネル１０において発生する磁界を相互に打ち消し合うことが可能となる。
【０１３５】
また、電極線１８−１，１８−２，１８−３，１８−４を、太陽電池パネル群１０’の中央部から放射状に配線することによって、例えば、各太陽電池パネル１０における妨害波の位相を揃えることができ、磁界をより効果的に打ち消すことも可能となる。
【０１３６】
また、第２の実施形態、第４の実施形態、または第５の実施形態のような電極線１８が交差する太陽電池パネル１０を用いた場合に残留する磁界成分を、太陽電池パネル１０間で打ち消すことも可能となる。
（第７の実施形態）
以下、図面を参照して本発明の第７の実施形態について説明する。なお、第１の実施形態乃至第６の実施形態と同様の構成および内容については、同一符号を付して、説明を省略する。
【０１３７】
本実施形態は、図１１に示すように、図２の従来の太陽電池パネル１００のように、太陽電池モジュール群７０ａの各太陽電池モジュール２０ａの端子６０ａが、太陽電池モジュール群７０ｂの太陽電池モジュール２０ｂの端子６０ｂと、太陽電池パネル１０において、対向することなく同一方向（図１１の上方向）に配置されている。
【０１３８】
しかしながら、本実施形態の太陽電池パネル１０は、第２の実施形態のように、複数の太陽電池モジュール２０の各太陽電池モジュールの正極２１ｐおよび負極２１ｎを直列に接続して形成される電極線１８に撚りを入れるように電極線１８を交差させて、電極線１８が配線されている。
【０１３９】
例えば、太陽電池モジュール群７０ａ，７０ｂの各々の複数の太陽電池モジュール２０のうちの所定の太陽電池モジュール２０の一例として太陽電池モジュール２０ａ−２に関して説明すると、太陽電池モジュール２０ａ−２の正極２１ｐａ−２が、太陽電池モジュール２０ａ−２に対応する太陽電池モジュール群７０ｂの太陽電池モジュール２０ｂ−２に太陽電池モジュール群７０ｂにおいて隣接する太陽電池モジュール２０ｂ−３の負極２１ｎｂ−３に電極線１８ｂ−３を介して接続されており、また、太陽電池モジュール２０ａ−２に隣接する他の太陽電池モジュール２０ａ−３の正極２１ｐａ−３が、例えば電極線１８ｂ−３に対して撚りを入れるように、電極線１８ａ−２を介して、太陽電池モジュール２０ｂ−２の負極２１ｎｂ−２に接続され、電極線１８ｂ−３と電極線１８ａ−２が交差する。  
一方、例えば、太陽電池モジュール２０ａ−２の負極２１ｎａ−２が、太陽電池モジュール２０ｂ−１の正極２１ｐｂ−１に電極線１８ｂ−２を介して接続されており、また、太陽電池モジュール２０ａ−１の負極２１ｎａ−１が、電極線１８ｂ−２と交差するように、電極線１８ａ−１を介して、太陽電池モジュール２０ｂ−２の正極２１ｐｂ−２に接続されている。ここで、電極線１８ｂ−３と電極線１８ａ−２の交差と電極線１８ｂ−２と電極線１８ａ−１の交差は、それぞれの電極線に撚りが入るように交差させる。２本の電極線１８に撚りが入った状態とは、例えば、電極線１８ａ−２の上に電極線１８ｂ−３が配線されており、電極線１８ａ−３の下に電極線１８ｂ−４が配線されている状態である。なお、電極線１８ａ−３と電極線１８ｂ−４の交差、電極線１８ａ−４と電極線１８ｂ−５の交差、及び電極線１８ａ−５と電極線１８ｂ−６の交差を含めて、全ての交差が全体として撚りが入るように交差させる。
【０１４０】
以上のような第７の実施形態によれば、第２の実施形態で奏されたような作用効果を得ることができる。
【０１４１】
例えば、電極線１８に撚りを入るように電極線１８を交差させて配線することによって、電極線１８によって形成されるループ面積を、図２に示すような従来の太陽電池パネル１００よりも小さくすることが可能となる。
（第８の実施形態）
以下、図面を参照して本発明の第８の実施形態について説明する。なお、第１の実施形態乃至第７の実施形態と同様の構成および内容については、同一符号を付して、説明を省略する。
【０１４２】
本実施形態の太陽電池パネル１０は、図１２に示すように、第７の実施形態と同様に、太陽電池モジュール群７０ａの各太陽電池モジュール２０ａの端子６０ａが、太陽電池モジュール群７０ｂの太陽電池モジュール２０ｂの端子６０ｂと、太陽電池パネル１０において、対向することなく同一方向（図１２の上方向）に配置されている。
【０１４３】
しかしながら、本実施形態の太陽電池パネル１０は、第３の実施形態のように、互いに隣接する太陽電池モジュール２０内のループ電流６２の向きが交互に逆向きになるように、すなわち、順方向型太陽電池モジュールと前記逆方向型太陽電池モジュールとが交互に配置されるように、太陽電池モジュール２０が配置されている。
【０１４４】
以上のような第８の実施形態によれば、第３の実施形態で奏されたような作用効果と同様の効果を得ることができる。
（第９の実施形態）
以下、図面を参照して本発明の第９の実施形態について説明する。なお、第１の実施形態乃至第８の実施形態と同様の構成および内容については、同一符号を付して、説明を省略する。
【０１４５】
本実施形態は、第７の実施形態と第８の実施形態とを組み合わせた実施形態であり、本実施形態の太陽電池パネル１０は、図１３に示すように、太陽電池モジュール群７０ａの各太陽電池モジュール２０ａの端子６０ａが、太陽電池モジュール群７０ｂの太陽電池モジュール２０ｂの端子６０ｂと、太陽電池パネル１０において、対向することなく同一方向（図１３の上方向）に配置されている。
【０１４６】
しかしながら、本実施形態の太陽電池パネル１０は、第７の実施形態のように、複数の太陽電池モジュール２０の各太陽電池モジュールの正極２１ｐおよび負極２１ｎを直列に接続して形成される電極線１８に撚りを入れるように電極線１８を交差させて、電極線１８が配線されている。
【０１４７】
さらに、本実施形態の太陽電池パネル１０は、第８の実施形態のように、互いに隣接する太陽電池モジュール２０内のループ電流６２の向きが交互に逆向きになるように、すなわち、順方向型太陽電池モジュールと前記逆方向型太陽電池モジュールとが交互に配置されるように、太陽電池モジュール２０が配置されている。
【０１４８】
以上のような第９の実施形態によれば、第７の実施形態で奏された作用効果に加えて第８の実施形態で奏された作用効果を得ることができる。
（第１０の実施形態）
以下、図面を参照して本発明の第１０の実施形態について説明する。なお、第１の実施形態乃至第９の実施形態と同様の構成および内容については、同一符号を付して、説明を省略する。なお、説明の便宜上、説明に必要な符号のみ示している。
【０１４９】
本実施形態は、太陽電池モジュール群７０ａの各太陽電池モジュール２０ａの端子６０ａが、太陽電池モジュール群７０ｂの太陽電池モジュール２０ｂの端子６０ｂと、太陽電池パネル１０において、対向することなく同一方向に配置されている太陽電池パネル１０を複数有する太陽電池パネル群１０’に関する発明である。
【０１５０】
また、本実施形態の太陽電池パネル群１０’は、第６の実施形態と同様に、隣接する太陽電池パネル１０における複数の太陽電池モジュール２０の各太陽電池モジュール２０の正極２１ｐおよび負極２１ｎを直列に接続して形成される電極線１８に流れるディファレンシャルモード電流ループの向きが異なる向きになるように、例えば互いに逆向きになるように、各太陽電池パネル１０が配置されている。
【０１５１】
本実施形態の太陽電池パネル１０は、例えば、第７の実施形態乃至第９の実施形態において図１１乃至図１３を参照して説明したような太陽電池パネル１０、または、図２に示す従来の太陽電池パネル１００である。
【０１５２】
図１４では、本実施形態の太陽電池パネル群１０’の一例として、図２に示すような従来の太陽電池パネル１００を複数有する太陽電池パネル群１０’を示している。
【０１５３】
太陽電池パネル群１０’は、４つのグループに相当する太陽電池パネル１０−９，１０−１０，１０−１１，１０−１２を備えてなり、合計４８枚の太陽電池モジュール２０を備える。
【０１５４】
太陽電池パネル１０−９，１０−１０，１０−１１，１０−１２は、それぞれ、図９の太陽電池パネル１０−１，１０−２，１０−３，１０−４に対応しており、太陽電池パネル１０−１，１０−２，１０−３，１０−４の代わりに太陽電池パネル１０−９，１０−１０，１０−１１，１０−１２が配置されている。
【０１５５】
以上のような第１０の実施形態によれば、第７の実施形態乃至第９の実施形態における太陽電池パネル１０だけでなく、従来の太陽電池パネル１００を用いた場合でも、第６の実施形態と同様の効果を得ることができる。
【０１５６】
なお、請求項において、第１および第２の太陽電池モジュール群は、例えば、太陽電池モジュール群７０ａ，７０ｂに対応する。第１の太陽電池モジュール群の各太陽電池モジュールの端子は、例えば、太陽電池モジュール２０ａ−２の端子６０ａ−２に対応する。第２の太陽電池モジュール群の太陽電池モジュールの端子は、例えば、太陽電池モジュール２０ｂ−２の端子６０ｂ−２に対応する。各太陽電池モジュールの正極は、例えば、太陽電池モジュール２０ａの正極２１ｐａ−２に対応する。隣接する第１の太陽電池モジュールの負極は、例えば、太陽電池モジュール２０ａ−１の負極２１ｎａ−１に対応する。隣接する第２の太陽電池モジュールの正極は、例えば、太陽電池モジュール２０ａ−３の正極２１ｐａ−３に対応する。
【０１５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５８】
１…太陽光発電システム、５…コンセント、６…電子・電気機器、６ａ…テレビ、６ｂ…照明、７…パワーコンバータ、７ａ…ＰＷＭパルス波、７ｂ…正弦波、８…分電盤、９…電力計、１０，１０−１乃至１０−１２，１００…太陽電池パネル、１０’…太陽電池パネル群、１１…引込み線、１２…電磁妨害波、１３…放射妨害波、１５…放送電波、１６…落雷、１７，１７ａ，１７ｂ…電磁妨害波、１８，１８ａ−０乃至１８ａ−６、１８ｂ−１乃至１８ｂ−６，１８ｎ−１１乃至１８ｎ−１３，１８ｐ−１１乃至１８ｐ−１３，１８−１乃至１８−４…電極線、２０，２０ａ−１乃至２０ａ−６、２０ｂ−１乃至２０ｂ−６…太陽電池モジュール、２１ｎ，２１ｎａ−１乃至２１ｎａ−６，２１ｎｂ−１乃至２１ｎｂ−６…負極、２１ｐ，２１ｐａ−１乃至２１ｐａ−６，２１ｐｂ−１乃至２１ｐｂ−６…正極、２２…フレーム、２３，２３ａ，２３ｂ…接地線、２４…大地面、２５，２５−１乃至２５−４…ディファレンシャルモード電流成分、２６…コモンモード電流成分、２７…架台、２８ａ，２８ｂ…端点、２９…擬似電源回路網（ＡＭＮ）、３０，３２，３４，３６，４０，４２，４４，４６，４８，５０，５２…波形、３１…ターンテーブル、３８…光源、６０…端子、６２、６２ａ−１乃至６２ａ−６，６２ｂ−１乃至６２ｂ−６…電流ループ、６４，６４−１乃至６４−４，６５…入出力端、７０ａ，７０ｂ，８０ａ，８０ｂ…太陽電池モジュール群、９０，９１…ループ面積、１１０，１１０−１１乃至１１０−１３…太陽電池セル、Ｐ１，Ｐ２，Ｐ３，Ｐ４，Ｐ５…位置。
【図１Ａ】
2018078684.tif 000003
【図１Ｂ】
2018078684.tif 000004
【図２】
2018078684.tif 000005
【図３】
2018078684.tif 000006
【図４】
2018078684.tif 000007
【図５】
2018078684.tif 000008
【図６】
2018078684.tif 000009
【図７】
2018078684.tif 000010
【図８】
2018078684.tif 000011
【図９】
2018078684.tif 000012
【図１０】
2018078684.tif 000013
【図１１】
2018078684.tif 000014
【図１２】
2018078684.tif 000015
【図１３】
2018078684.tif 000016
【図１４】
2018078684.tif 000017
【図１５】
2018078684.tif 000018
【図１６】
2018078684.tif 000019
【図１７】
2018078684.tif 000020
【図１８】
2018078684.tif 000021
【図１９】
2018078684.tif 000022
【図２０】
2018078684.tif 000023
【図２１】
2018078684.tif 000024
【図２２】
2018078684.tif 000025
【図２３】
2018078684.tif 000026